(57)【要約】【課題】  車載用ＴＶ受信装置において、受信電界強度が変動してもスムーズにしかも常に良好な映像を表示する。【解決手段】  テレビ受信装置１０は映像信号をフィルタリングしてモニタ部に与える電圧可変ＬＰＦ１２と、テレビ放送信号についてその受信電界強度を検知する電界強度検知部１４ｄと、映像信号に基づいて予め規定された時間毎の電界強度の差を電界変動差として求める電界変動差検知部１４ａとを有し、受信電界強度及び電界変動差に応じて電圧可変ＬＰＦのフィルタ特性を調整する。【選択図】        図１
2006332877.tif 000002
【特許請求の範囲】
【請求項１】
テレビ放送信号を受信して映像信号をモニタ部に出力するテレビ受信装置において、
前記映像信号をフィルタリングして前記モニタ部に与えるフィルタ手段と、
前記テレビ放送信号についてその受信電界強度を検知する電界強度検知手段と、
前記映像信号に基づいて、予め規定された時間毎の電界強度の差を電界変動差として求める電界変動差検知手段と、
前記受信電界強度及び前記電界変動差に応じて、前記フィルタ手段のフィルタ特性を調整する調整手段とを有することを特徴とするテレビ受信装置。
【請求項２】
調整手段は、受信電界強度が弱いと判定するとフィルタ手段のフィルタ特性を調整して、映像信号の高域側における減衰度を大きくすることを特徴とする請求項１記載のテレビ受信装置。
【請求項３】
電界変動差検知手段は、予め規定された時間毎に所定時間の電界強度の平均値を求めて該平均値の差を電界変動差とすることを特徴とする請求項１または請求項２記載のテレビ受信装置。
【請求項４】
受信電界強度と電界変動差とに対応付けて補正量が記録された補正量テーブルを有し、
調整手段は、前記受信電界強度及び前記電界変動差に対応した補正量に応じて、フィルタ手段のフィルタ特性を調整することを特徴とする請求項１から請求項３のうちのいずれか１項記載のテレビ受信装置。
【請求項５】
フィルタ手段の出力を電界変動差検知手段にフィードバック信号としてフィードバックして、該フィードバック信号に基づいて、前記電界変動差検知手段は電界変動差を求めることを特徴とする請求項１から請求項４のうちのいずれか１項記載のテレビ受信装置。
【請求項６】
補正量テーブルには補正量としてパルス比が記録されており、
調整手段は、受信電界強度と電界変動差とに応じて前記補正量テーブルから前記パルス比を得る処理手段と、
前記パルス比に応じたパルス信号を生成するパルス生成手段と、
前記パルス信号に応じた直流電圧をフィルタ手段に与えて、該フィルタ手段のフィルタ特性を調整する直流電圧変換手段とを有することを特徴とする請求項４記載のテレビ受信装置。
【請求項７】
処理手段によって得られたパルス比を記憶する記憶手段を有し、
パルス生成手段は、テレビ放送信号の選局が行われると前記記憶手段に記憶されたパルス比に応じたパルス信号を生成することを特徴とする請求項６記載のテレビ受信装置。
【発明の詳細な説明】
【技術分野】
【０００１】
この発明は、テレビ（ＴＶ）放送信号を受信するＴＶ受信装置に関し、特に、受信電界強度に応じてＴＶ放送信号中の映像信号の受信状態（周波数特性）を調整することのできる車載用のＴＶ受信装置に関するものである。
【背景技術】
【０００２】
一般に、車両等の移動体に搭載された車載用ＴＶ受信装置でＴＶ放送信号を受信している際、移動体の移動に伴ってその受信電界強度が大きく変動することがあり、受信電界強度の変動によってテレビ放送信号を良好に受信できないという事態が生じる。つまり、受信電界強度が低下すると、ＴＶ受信装置における信号対雑音（Ｓ／Ｎ）特性が悪化して、ＴＶ放送信号、特に、映像信号中の雑音レベルが増加し、モニタ上に表示される映像が極めて見づらくなってしまう。
【０００３】
このような不具合に対処するため、微弱信号を受信した際には映像信号の周波数の高い信号成分が雑音成分によってマスキングされて見えなくなってしまうことを考慮して、ＴＶ受信装置で微弱信号を受信する時にのみ受信装置の映像振幅特性の高域を低下させ、Ｓ／Ｎ特性を向上させるようにしたものがある（例えば、特許文献１参照）。そして、ここでは、表面弾性波（ＳＡＷ）フィルタを用いて、ＳＡＷフィルタの１信号選択特性を正規のものと映像信号の高域部分を抑圧したものとの二つのチャンネルを設けて、自動利得制御（ＡＧＣ）電圧によって二つのチャンネルのいずれか一方を選択するようにしている。
【０００４】
さらに、弱電界下の受信においても良好なカラー画像を得るため、テレビ放送の映像信号の信号レベルを検出して、映像信号中のクロマ信号から色差信号を生成し、クロマ信号の信号レベルの高低に応じて色差信号生成回路に入力されるクロマ信号を遮断するとともに、色差信号生成回路の出力する色差信号と映像信号中の輝度信号とによって原色信号を生成し、映像信号の信号レベルの高低に応じてフィルタによって原色信号の通過周波数帯域を可変して出力するようにしたものがある（例えば、特許文献２）。
【０００５】
【特許文献１】特開昭５８−２２２６７７号公報（第１頁〜第２頁、第１図〜第２図）
【特許文献２】特開平６−１８９３３０号公報（第３頁〜第４頁、第１図〜第２図）
【発明の開示】
【発明が解決しようとする課題】
【０００６】
従来のＴＶ受信装置は以上のように構成されているので、微弱信号を受信した際雑音の少ない映像を表示することができるものの、ＳＡＷフィルタを用いて、ＳＡＷフィルタの１信号選択特性を正規のものと映像信号の高域部分を抑圧したものとの二つのチャンネルを設けて、ＡＧＣ電圧によって二つのチャンネルを切り替えるようにしているため、つまり、二つのチャンネルの内いずれか一方を選択する切り替えを行っているため、切り替えが不連続となって、視聴者に違和感を与えてしまうという課題があった。
【０００７】
さらに、従来のＴＶ受信装置では、クロマ信号の信号レベルの高低に応じて色差信号生成回路に入力されるクロマ信号を遮断して、映像信号の信号レベルの高低に応じてローパスフィルタによって原色信号の通過周波数帯域を可変して出力しているから、色復調回路後段のローパスフィルタによって弱電界時のカラー雑音が低減され、その結果、キラーレベル電圧（クロマ信号を遮断するための電圧）を低く設定することができることになって、弱電界下の受信においてもカラー画像が得られるものの、ローパスフィルタによってカラー雑音を低減する結果、キラーレベル電圧を低くして弱電界においてもカラー画像を得られるようにしているだけであって、受信電界強度の変動が変動しても常に良好な映像を表示することが難しいという課題があった。
【０００８】
この発明は上記のような課題を解決するためになされたもので、受信電界強度が変動してもスムーズにしかも常に良好な映像を表示することのできるＴＶ受信装置を提供することを目的とする。
【課題を解決するための手段】
【０００９】
この発明に係るテレビ受信装置は、テレビ放送信号を受信して映像信号をモニタ部に出力する。テレビ受信装置は、映像信号をフィルタリングしてモニタ部に与えるフィルタ手段と、テレビ放送信号についてその受信電界強度を検知する電界強度検知手段と、映像信号に基づいて予め規定された時間毎の電界強度の差を電界変動差として求める電界変動差検知手段と、受信電界強度及び前記電界変動差に応じてフィルタ手段のフィルタ特性を調整する調整手段とを有することを特徴とするものである。
【発明の効果】
【００１０】
この発明によれば、テレビ放送信号についてその受信電界強度を検知するとともに、映像信号に基づいて予め規定された時間毎の電界強度の差を電界変動差として求め、受信電界強度及び前記電界変動差に応じてフィルタ手段のフィルタ特性を調整するように構成したので、受信電界強度が変動してもスムーズにしかも常に良好な映像を表示することができるという効果がある。
【発明を実施するための最良の形態】
【００１１】
実施の形態１．
まず、図１を参照して、図示のＴＶ受信装置１０は、例えば、車両等の移動体に搭載されている。ＴＶ受信装置１０は、ＴＶチューナ部１１を備え、このＴＶチューナ部１１はフィルタ手段としての電圧可変ローパスフィルタ（ＬＰＦ）１２及び増幅部（図示せず）等を介してモニタ部１３に接続されている。ＴＶチューナ部１１には電界強度出力部１１ａが備えられ、この電界強度出力部１１ａはマイクロコンピュータ（マイコン）１４に接続されている。ＴＶチューナ部１１はアンテナ１１ｂを介してＴＶ放送を受信して映像信号を出力し、映像信号に応じた映像がモニタ部１３に表示される。また、マイコン１４には映像信号が与えられるとともに、電圧可変ＬＰＦ１２の出力が与えられる。
【００１２】
マイコン１４は、電界変動差検出部（電界変動差検知手段）１４ａ、第１のメモリ部１４ｂ、比較処理部（処理手段）１４ｃ、電界強度検知部（電界強度検知手段）１４ｄ、及びパルス比変換（Ｐｕｌｓｅ  ｄｕｔｙ：パルス生成手段）部１４ｅを有している。そして、Ｐｕｌｓｅ  ｄｕｔｙ部１４ｅは直流（ＤＣ）変換部（直流電圧変換手段）１５に接続されて、ＤＣ変換部１５の出力（ＤＣ電圧）によって、電圧可変ＬＰＦ１２の通過帯域（フィルタ特性）が調整される。
【００１３】
電界強度出力部１１ａは、受信ＴＶ放送信号の受信電界強度に比例した直流電圧（Ｓメータ電圧）を出力し、このＳメータ電圧を電界強度検知部１４ｄに与える。そして、電界強度検知部１４ｄはＳメータ電圧に応じて受信電界強度を検知し、この受信電界強度を第１のメモリ部１４ｂに一旦記憶する。
【００１４】
一方、電界変動差検知部１４ａでは映像信号を予め規定された時間毎に所定の時間の間取り込んで、所定の時間の間の映像信号レベルを平均化して平均電界レベルを得る。そして、電界変動差検知部１４ａは現在の平均電界レベルと一つの前の平均電界レベルとの差を求めて、これを電界変動差として第１のメモリ部１４ｂに前述の受信電界強度と対応付けて記憶する。
【００１５】
第１のメモリ部１４ｂには受信電界強度及び電界変動差とパルス比（補正量）との関係を示す電界変動差−パルス比テーブル（補正量テーブル）が記憶されており、図２（ａ）に示すように、この電界変動差−パルス比テーブルは、予め受信電界強度を種々変化させて電界変動差と電圧可変ＬＰＦ１２のフィルタ特性との関係を得て、このフィルタ特性に対応するＤＣ電圧値を得て、このＤＣ電圧値に対応するパルス比をテーブル化したものである。
【００１６】
例えば、受信電界強度（Ｓメータ電圧）が”５”、”３”、及び”１”の値で変化する際、各Ｓメータ電圧値に対応付けて電界変動差”１”〜”５”が規定され、各電圧変動差に対応付けてパルス比”１”から”１５”が規定されている。具体的には、Ｓ電圧メータ値”５”に対してはパルス比”１”〜”５”が規定され、Ｓ電圧メータ値”３”に対してはパルス比”６”〜”１０”が規定されている。また、Ｓ電圧メータ値”１”に対してはパルス比”１１”〜”１５”が規定されている。
【００１７】
比較処理部１４ｃでは、第１のメモリ部１４ｂに記憶された受信電界強度（つまり、Ｓメータ電圧）及び電界変動差に基づいて、第１のメモリ部１４ｂをアクセスして、電界変動差−パルス比テーブルから、受信電界強度及び電界変動差に対応するパルス比を選択する。例えば、図２（ｂ）に示すように、Ｓメータ電圧値が”５”で、電界変動差が”２”である際には、パルス比として”２”が選択され、Ｓメータ電圧値が”３”で、電界変動差が”２”である際には、パルス比として”７”が選択される。また、Ｓメータ電圧値が”１”で、電界変動差が”２”である際には、パルス比として”１２”が選択されることになる。
【００１８】
上述のようにして得られたパルス比は、Ｐｕｌｓｅ  ｄｕｔｙ部１４ｅに与えられて、Ｐｕｌｓｅ  ｄｕｔｙ部１４ｅでは、パルス比に応じたパルス信号を生成して、ＤＣ変換部１５に与える。そして、ＤＣ変換部１５では、パルス信号に応じたＤＣ電圧を生成して、電圧可変ＬＰＦ１２にＤＣ電圧を与えて、このＤＣ電圧に応じて電圧可変ＬＰＦ１２のフィルタ特性が調整制御される。つまり、電圧可変ＬＰＦ１２のフィルタ特性を変化させて、映像信号中の雑音成分を低減させる。
【００１９】
図３は、電圧可変ＬＰＦ１２のフィルタ特性を変化させた際、電圧可変ＬＰＦ１２の出力を、映像信号周波数（ｋＨｚ）と正弦波減衰度（ｄＢ）との関係で示す図であり、前述したように、受信電界強度が弱くなって電界変動差が大きくなるにつれて、パルス比が大きくなって、これによって、電圧可変ＬＰＦ１２は高域側の信号成分に係る減衰度を大きくするように、そのフィルタ特性が調整されるから、映像信号に含まれる雑音成分を低減することができる。
【００２０】
図３に示すように、受信電界強度が強い場合の映像周波数特性曲線Ｌ１に比べて、受信電界強度が低い場合の映像信号周波数特性曲線Ｌ２では映像信号周波数の高域側における減衰度が大きくなっており、これによって、映像信号に含まれる雑音成分が低減されることになって、モニタ部１３に表示される映像は雑音感の少ないものとなる。
【００２１】
次に動作について説明する。
図１及び図４を参照して、いま、ユーザが所望のチャンネル（ＣＨ）を選局すると（ステップＳＴ１）、ＴＶチューナ部１１内の電界強度出力部１１ａからＳメータ電圧が出力されて、電界強度検知部１４ｄに与えられる（ステップＳＴ２）。電界強度検知部１４ｄではＳメータ電圧に応じて受信電界強度を検知し（電界強度の取り込み：ステップＳＴ３）、この受信電界強度が比較処理部１４ｃに与えられる。
【００２２】
比較処理部１４ｄでは、受信電界強度を予め設定された複数の閾値と比較して、受信電界強度が強、中、及び弱のいずれであるかを調べて、受信電界強度が弱であるか否かを判定する（ステップＳＴ４）。受信電界強度が弱でないと、比較処理部１４ｃは映像信号の周波数特性がフラットとなるようなパルス比をＰｕｌｓｅ  ｄｕｔｙ部１４ｅに与えて、Ｐｕｌｓｅ  ｄｕｔｙ部１４ｅではこのパルス比に応じたパルス信号をＤＣ変換部１５に与え、ＤＣ変換部１５から出力されるＤＣ電圧に応じて電圧可変ＬＰＦ１２のフィルタ特性が変更される（受信電界強度が弱でないと、電圧可変ＬＰＦ１２によって映像信号の周波数特性がフラットにされる（ステップＳＴ５））。
【００２３】
一方、ステップＳＴ５で、受信電界強度が弱である際には、ＴＶチューナ部１１から出力された映像信号（ステップＳＴ６）が電界変動差検知部１４ａに取り込まれて電界変動差検知部１４ａで前述したようにして電界変動差が求められる（ステップＳＴ７）。そして、受信電界強度及び電界変動差が一旦記憶第１のメモリ部１４ｂに記憶された後（ステップＳＴ８）、比較処理部１４ｂでは受信電界強度及び電界変動差に応じたパルス比を電界変動差−パルス比テーブルから得て、Ｐｕｌｓｅ  ｄｕｔｙ部１４ｅに与える。そして、Ｐｕｌｓｅ  ｄｕｔｙ部１４ではパルス比に応じたパルス信号をＤＣ変換部１５に与える（比較結果処理によるＰｕｌｓｅ波形を出力：ステップＳＴ９）。
【００２４】
ＤＣ変換部１５では、パルス信号（Ｐｕｌｓｅ波形）をＤＣ電圧に変換して出力し（ステップＳＴ１０）、このＤＣ電圧に応じて、電圧可変ＬＰＦ１２のフィルタ特性を調整して、映像信号に周波数特性を付与し（ステップＳＴ１１）、これによって映像信号に含まれる雑音成分の通過を阻止して雑音成分を低減させる。図１に示すように、電圧可変ＬＰＦ１２の出力は、電圧変動差検知部１４ａにフィードバック信号としてフィードバックされており、電圧変動差検知部１４ａは、このフィードバック信号について、前述したようにして電界変動差（以下フィードバック電界変動差と呼ぶ）を求めてフィードバック電界変動差に応じて受信映像雑音が少ないか否かを判定する（フィードバック電界変動差が所定の閾値以上であると受信映像雑音が多いとする：ステップＳＴ１２）。
【００２５】
受信映像雑音が多いと判定すると、比較処理部１４ｃでは所定の回数電圧可変ＬＰＦ１２の調整を行ったか否かを判定して（ステップＳＴ１３）、所定の回数行っていれば、処理を終了し、所定の回数行っていなければ、ステップＳＴ４に戻って処理を続行する。
【００２６】
このように、受信電界強度が強い際には、ＴＶチューナ部１１から出力される映像信号に含まれる雑音成分が少ないから、電圧可変ＬＰＦ１２を制御して映像信号の周波数特性をフラットにする。一方、受信電界強度が弱い場合には、映像信号に含まれる雑音成分が増えるため、モニタ部１３に表示される映像が見にくくなるので、電圧可変ＬＰＦ１２を制御して映像信号の周波数特性を、高域側でその減衰度を高くして雑音成分を低減させて、目視上雑音感の少ない映像とする。
【００２７】
この際、予め規定された時間毎に得られた電界強度の平均値の差を差電界強度として、受信電界強度及び電界変動差に応じて電圧可変ＬＰＦ１２のフィルタ特性を制御するようにしたから、受信電界強度の判定に時定数を持たせることができ、雑音による一時的な電界変動には反応せず、音声信号のふらつきを防ぐことができることになる。
【００２８】
ところで、図１に破線ブロックで示すように、第２のメモリ部（記憶手段）１４ｆをマイコン１４に内蔵させて、比較処理部１４ｃで得られたパルス比を第２のメモリ部１４ｆに記憶するようにしてもよい。そして、ユーザがチャンネルを変更すると、つまり、別の放送局を選局した際には、第２のメモリ部１４ｆに記憶されたパルス比をＰｕｌｓｅ  Ｄｕｔｙ部１４ｅに与えて、Ｐｕｌｓｅ  ｄｕｔｙ部１４ｅでこのパルス比に応じたパルス信号を出力させ、ＤＣ変換部１５からパルス信号に応じて出力されるＤＣ電圧によって電圧可変ＬＰＦ１２のフィルタ特性を調整する。
【００２９】
このようにすれば、チャンネルが変更された際には、直前に受信していたチャンネルに対応した電圧可変ＬＰＦ１２のフィルタ特性に調整されることになる。この結果、ＴＶ受信装置が移動体に搭載されていることを考慮すると、チャンネルを変更しても直ちに良好な映像を視聴することができることになる。
【００３０】
なお、上述の処理にディジタル処理を用いるようにすれば、複雑な回路の追加を行う必要がなく、さらには、受信電界強度に応じて細かく補正量（パルス比）を設定することができる等精密な制御を行うことができる。また、上述の説明から容易に理解できるように、比較処理部１４ｃ、Ｐｕｌｓｅ  ｄｕｔｙ部１４ｅ、及びＤＣ変換部１５が調整手段として機能することになる。
【００３１】
以上のように、この実施の形態１によれば、テレビ放送信号の受信電界強度と映像信号に基づいて予め規定された時間毎の電界強度の差を示す電界変動差とに基づいて電圧可変ＬＰＦ１２のフィルタ特性を制御調整するようにして、受信電界強度が弱い際には、映像信号の高域側における減衰度を大きくするようにしたので、連続的に電圧可変ＬＰＦ１２のフィルタ特性の制御が行え、受信電界強度が変動してもスムーズにしかも常に良好な映像を表示することができる。
【００３２】
この実施の形態１によれば、予め規定された時間毎に所定時間の電界強度の平均値を求めてこれら平均値の差を電界変動差とするようにしたので、僅かな電界強度の変動に反応することがなく、電圧可変ＬＰＦ１２のフィルタ特性の切り替えが頻繁に行われて、映像が却って見づらくなることがない。
【００３３】
この実施の形態１によれば、受信電界強度と電界変動差とに対応付けてパルス比が記録されたパルス比テーブルを備えて、受信電界強度と電界変動差とに応じてパルス比テーブルから得られたパルス比に応じたパルス信号を生成して、パルス信号に応じた直流電圧を電圧可変ＬＰＦ１２に与えて、そのフィルタ特性を制御するようにしたので、簡単に映像信号の雑音成分を低減できる。
【００３４】
この実施の形態１によれば、テレビ放送信号の選局が行われると第２のメモリ部１４ｆに記憶されたパルス比に応じたパルス信号を生成して、電圧可変ＬＰＦ１２のフィルタ特性を調整するようにしたので、選局が行われた際にも直ちに良好な映像を視聴できるという効果がある。
【図面の簡単な説明】
【００３５】
【図１】この発明の実施の形態１によるテレビ受信装置の一例を示すブロック図である。
【図２】図１に示す第１のメモリ部に格納される電界変動差−パルス比テーブルの一例を説明するための図であり、（ａ）は電界変動差−パルス比テーブルを示す図、（ｂ）は受信電界強度及び電界変動差とパルス比との対応を示す図である。
【図３】図１の電圧可変ＬＰＦを制御した際の映像信号の周波数特性の一例を示す図である。
【図４】図１に示すテレビ受信装置における電圧可変ＬＰＦの制御を説明するためのフローチャートである。
【符号の説明】
【００３６】
１０  ＴＶ受信装置、１１  ＴＶチューナ部、１１ａ  電界強度出力部、１１ｂ  アンテナ、１２  電圧可変ローパスフィルタ（ＬＰＦ）、１３  モニタ部、１４  マイクロコンピュータ（マイコン）、１４ａ  電界変動差検出部、１４ｂ，１４ｆ  メモリ部、１４ｃ  比較処理部、１４ｄ  電界強度検知部、１４ｅ  パルス比変換（Ｐｕｌｓｅ  ｄｕｔｙ）部、１５  直流（ＤＣ）変換部。
【図１】
2006332877.tif 000003
【図２】
2006332877.tif 000004
【図３】
2006332877.tif 000005
【図４】
2006332877.tif 000006